(57)【要約】【課題】生ゴミの減量という観点に立ち、構造を簡単にし、安価で、持ち運び可能で、しかも粉砕刃を容易に分解・取り外して洗浄可能な生ゴミ粉砕器を提供する。【解決手段】粉砕刃１とモーター２もしくは変換機１１並びに変換機ボックス７を、支持板３を介して筒６の内側に脱着自在に取り付け、その下位に、ゴミ受け容器１０を置けるようにする。図４では、筒６の外側側面に接続器１５ａを突出させ、外部の柱に取り付けたモーター２の軸には接続器１５ｂを設ける。筒６をレール１３にのせスライドさせて、接続器１５ａと接続器１５ｂをかみ合わせ、粉砕刃を回転させ生ゴミを粉砕し、ゴミ受け容器１０に受けるようにした。【選択図】図４
2005028350.tif 000002
【特許請求の範囲】
【請求項１】
粉砕刃１およびモーター２を、支持板３を介して筒６の内側に脱着自在に取り付け、その下位にゴミ受け容器１０を置けるようにしたことを特徴とする生ゴミ粉砕器。
【請求項２】
筒６の側面に開口部９を形成し、筒６を伏せたままゴミ受け容器１０を出し入れ可能にしたことを特徴とする請求項１記載の生ゴミ粉砕器。
【請求項３】
支持板３にガイド８を設けたことを特徴とする請求項１または２記載の生ゴミ粉砕器。
【請求項４】
粉砕刃１および変換機１１並びに変換機ボックス７を、支持板３を介して筒６の内側に脱着自在に取り付け、筒６の外側側面に取り付けたモーター２の軸に変換機１１を連結させ、モーターの駆動力を粉砕刃１に伝達するようにしたことを特徴とする請求項１または２または３記載の生ゴミ粉砕器。
【請求項５】
粉砕刃１および変換機１１並びに変換機ボックス７を、筒６の内側に脱着自在に取り付け、筒６の外側側面には変換器１１に連結した接続器１５ａを突出させ、一方の、外部の柱１９に固定したモーター２の軸に取り付けた、接続器１５ｂにかみ合わせ、モーターの駆動力を粉砕刃１に伝達するようにしたことを特徴とする請求項１または２または３記載の生ゴミ粉砕器。
【請求項６】
柱１９の頂部に取り付けた蓋１６の支点部分にモーター２のスイッチ１７を取り付け、蓋１６を筒６に閉めた状態でスイッチ１７が自動的に入るようにしたことを特徴とする請求項５記載の生ゴミ粉砕器。
【発明の詳細な説明】
【発明の詳細な説明】
【技術分野】
【０００１】  本発明は、生ゴミを減量するための簡易な生ゴミ粉砕器に関する。
【背景技術】
【０００２】  通常、生ゴミ粉砕器にはディスポーザーのように固定式で、粉砕した生ゴミを排水管に流してしまう形式もの。また、固定式の粉砕器で粉砕したものを排水管には流さずに自動的に容器に取り込み、脱水し乾燥させて一般ゴミあるいは堆肥として処理するタイプのものがある。
また、単にジューサーミキサー形式でモーターの上位に粉砕器を取り外し自在にしたもの、特開２０００−２６２９１７のように粉砕器の側方に金網を取り付け自動的に排出するもの、特開２００１−２５９４６１のようにモーターを粉砕器から分離した形式のものもある。
【発明が解決使用とする課題】
【０００３】  しかしながら、粉砕した生ゴミを排水管に直接流してしまうタイプのものは、粉砕された生ゴミが排水管に詰まる可能性が高い事に加え、粉砕済みとは言え生ゴミそのものを廃棄する事になり、環境の悪化につながる危険生が高いことと、その理由で日本では使用を禁止する自治体が多いなどの問題がある。
また、粉砕した生ゴミは流さずに乾燥させて堆肥などにするタイプのものは排水管の詰まりや環境上の問題は回避できるが設備が大きく、炊事台の下の収納スペースをほとんど占有する等の欠点がある。また、いずれも高価である欠点がある。
さらに、上記記載の発明のいずれにも共通する点は、粉砕したゴミや粘性度の高い物質が詰まったときに洗浄が困難な事である。
本発明は、このような従来の欠点を解消するためになされ、完全消滅よりもゴミの減量という観点に立ち、粉砕した生ゴミを排水管に流さなくて済み、構造が簡単で安価であり、更に、容易に分解し取り外して洗浄することができ、しかも安全に使用できる生ゴミ粉砕器を提供する事を課題とする。
【課題を解決するための手段】
【０００４】  この課題を技術的に解決するための手段として、本発明は、請求項１、請求項２として、粉砕刃およびモーターを支持板を介して筒の内側に、たとえばネジ等で固定し、その下位に粉砕した生ゴミを受けるためのゴミ受け容器を置けるようにしたことを要旨とする。  更に、筒を伏せたままゴミ受け容器を側方より容易に出し入れできるように筒の側面に開口部を設ける。
【０００５】  請求項３の事例では、支持板には粉砕後のゴミが、ゴミ受け容器に流れ込みやすくするためにガイドを設ける。
【０００６】  請求項４の事例では、モーターを筒の外部側壁に取り付け、変換機を介して駆動力を粉砕刃に伝達するようにする。
【０００７】  請求項５の事例では、粉砕刃および変換機並びに変換機ボックスを、筒の内側に支持板を介してネジ等で固定し、変換機に連結する軸の端部に接続器をもうけ、筒の側方外部に突出させる。一方、モーターは、外部のレールに取り付けた柱に固定し、モーター軸にも接続器を取り付け、筒側の接続器とかみ合わせるようにする。
【０００８】  請求項６の事例では、柱の頂部に蓋を取り付け、蓋の支点部分にモーターのスイッチをもうけ、蓋を閉じることでスイッチが入るようにする。
粉砕刃の形状、粉砕方式は回転刃形式でもどのような形式のものでも良い。また、駆動伝達する変換機の軸と、モーター軸とのかみ合わせに用いる接続器の形式はどのようなタイプのものでも良い。
【作用】
【０００９】  粉砕刃で粉砕された生ゴミは、直下のゴミ受け容器に水分を除いた状態でたまり、生ゴミの容量が激減するため生ゴミ処分の労力が少なくなる。また、筒の側部に開口部を設けることでゴミ受け容器の出し入れが容易になる。更に、支持板にはガイド部を設けることで、粉砕されたゴミは、ゴミ受け容器にスムーズに流れ込む。
請求項５、請求項６の事例では、筒をレールに乗せて接続器と接続器をかみ合わせ、柱に取り付けた蓋を閉めると、自動的にスイッチが入り粉砕刃は回転し生ゴミを粉砕する。粉砕装置を組み込んだ筒は、レールと蓋で固定され安定性が保てる。仮に接続器による接続がなされない状態で誤ってスイッチを入れても、回転部分を収納する構造にすることで回転体への接触による危険は生じない。
【実施例】
【０００１０】  以下、本発明の実施例を添付図面に基づいて詳説する。
請求項１の説明として、図−１において、１は粉砕刃、２はモーターであり、支持板３によって支持されている。支持板３には穴４が複数形成されガイド８も形成され、ネジ５で筒６に固定されている。使用するときには、ゴミ受け容器１０に筒６をかぶせ、筒６に上から生ゴミを投入し、蓋１６を閉め、モーターのスイッチを入れて生ゴミを粉砕する。蓋１６には網１８があり、必要に応じて水を流しながら生ゴミを粉砕する。ゴミ受け容器１０に溜まった粉砕後の生ゴミは一般ゴミとして処理するか乾燥させて堆肥として用いてもよい。
粉砕刃１を洗浄する時には、ネジ５を緩め、支持板３と粉砕刃１を筒６の外部に取り出して洗浄する。【０００１１】  請求項２、３の説明として、図−２において、９は開口部であり、筒６の側面に設けてあり、ゴミ受け容器１０が出し入れし易くなっている。また、支持板３にはガイド８が設けてあり、粉砕後の生ゴミはスムーズにゴミ受け容器１０に溜まる。【０００１２】  請求項４の説明として、図−３において、１１は変換機、７は変換機ボックスであり、粉砕刃１とともに支持板３に組み込み、支持板３を介して筒６にネジ５で固定されている。変換機１１とモーター２を連結する軸には連結具１２がある。モーターの駆動力は変換機１１を介して粉砕刃１に伝達される。【０００１３】  請求項５の説明として、図−４において、１５ａは接続器であり、変換機１１を介して粉砕刃１に連結されている。
１４はレールガイドであり、筒６の底部に取り付けてある。レール１３に立ち上げた柱１９には、モーター２が固定されている。モーター軸には接続器１５ｂが取り付けられている。
また、柱の頂部には蓋１６が取り付けてあり、スイッチ１７は蓋１６が閉まると自動的にスイッチが入るようになっている。
使用するときには、筒６に設けたレールガイド１４をレール１３に乗せて、スライドさせ筒側の接続器１５ａとモーター側の接続器１５ｂをかみ合わせる。筒６に生ゴミを入れ、蓋１６をしめる。閉めることでスイッチ１７が入り、粉砕刃１が回転するようになっている。この時、筒６は、レールガイド１４とレール１３で固定され、更に、蓋１６で固定するため接続器の部分が離れることはない。
粉砕された生ゴミは、ゴミ受け容器１０に溜まる。粉砕後の生ゴミは生ゴミとして処分するか、乾燥させて堆肥として利用するか、通常ゴミとして処理する方法をとる。
粉砕刃１を洗浄するときには、接続器１５ａを外し、ネジ５を外して、支持板３と粉砕刃１を取り外すことで容易にできる。
【発明の効果】
【０００１４】  以上説明したように、本発明によれば、粉砕刃およびモーターもしくは変換機をネジ等で筒内に固定した簡単な構造であるため、安価に製造できることと、持ち運びが可能である。また、粘着性の高いゴミが付着してもネジを外すだけで分解し取り外して洗浄が容易にできる等の効果がある。
【０００１５】  また、粉砕後の生ゴミは排水管に流さないためパイプ詰まりや生ゴミを直接廃棄する事による環境への悪影響を回避できる等の効果がある。
【０００１６】  更に、請求項５の事例では、筒部分とモーター部分が完全に分離されており、軽量で扱いやすく、必ずしも粉砕刃および変換機を分解して取り外さなくても洗浄しやすく清潔につかえる。かつ、モーター側の接続器は露出しないようにカバーを設けることで誤って仮にスイッチが入っても安全であるなどの優れた効果を奏する。
【図面の簡単な説明】
【図１】  本発明の請求項１の実施例を示す側面図である。
【図２】  本発明の請求項２の実施例を示す側面図である。
【図３】  本発明の請求項４の実施例を示す側面図である。
【図４】  本発明の請求項５および請求項６の実施例を示す側面図である。
【図５】  本発明の請求項５の実施例を示す正面図である。
【符号の説明】
１・・・粉砕刃
２・・・モーター
３・・・支持板
４・・・孔
５・・・ネジ
６・・・筒
７・・・変換機ボックス
８・・・ガイド
９・・・開口部
１０・・・ゴミ受け容器
１１・・・変換機
１２・・・連結具
１３・・・レール
１４・・・レールガイド
１５ａ，１５ｂ・・・接続器
１６・・・蓋
１７・・・スイッチ
１８・・・網
【図１】
2005028350.tif 000003
【図２】
2005028350.tif 000004
【図３】
2005028350.tif 000005
【図４】
2005028350.tif 000006
【図５】
2005028350.tif 000007